(57)【要約】【課題】ディスク装置の前端面に後付処理によりベゼルを装着するにあたり、このベゼルを簡素な構成で低コストに製作できるようにするとともに、所望の性能を維持するためのディスクトレイに要する仕様を欠くことなく、安定した品質で不特定のユーザへのディスク装置の供給が可能となるようにする。【解決手段】記録媒体Ｄを装填したディスクトレイ２をシャーシケース８内で前進後退させてロード／アンロードするようにしたディスク装置１において、前記ディスクトレイ２の前端面に要素部品を実装したインナーベゼル１８を固定するようになし、さらに前記インナーベゼル１８の外側にアウターベゼル１９を装着して一体化することが可能となるようにする。【選択図】    図１
2004152439.tif 000002
【特許請求の範囲】
【請求項１】
記録媒体を装填したディスクトレイをシャーシケース内で前進後退させてロード／アンロードするようにしたディスク装置において、
前記ディスクトレイの前端面に要素部品を実装したインナーベゼルを固定するようになし、さらに前記インナーベゼルの外側にアウターベゼルを装着して一体化することが可能とされていることを特徴とするディスク装置。
【請求項２】
板状に成形したアウターベゼルをインナーベゼルに止着するようにしたことを特徴とする請求項１記載のディスク装置。
【請求項３】
浅皿状に形成したアウターベゼルをインナーベゼルに嵌着するようにしたことを特徴とする請求項１記載のディスク装置。
【発明の詳細な説明】
【０００１】
【発明の属する技術分野】
本発明は、記録媒体として普及しているＣＤ（Ｃｏｍｐａｃｔ  Ｄｉｓｃ）あるいはＤＶＤ（Ｄｉｇｉｔａｌ  Ｖｅｒｓａｔｉｌｅ  Ｄｉｓｃ）などの光ディスクをドライブするディスク装置に関するもので、特にディスクトレイの前端面に装着されるベゼルの改良に関するものである。
【０００２】
【従来の技術】
一般にパーソナルコンピュータ（以下、パソコンという）などの情報機器の本体には光ディスクをドライブするディスク装置が内蔵され、一体化されており、光ディスクへの情報の記録再生が行われる（例えば、特許文献１参照）。図１０は、このようなディスク装置１を内蔵したノート型パソコンの外観を示すもので、通常、この場合のディスク装置は、スイッチ操作あるいはパソコン本体からの指令によりディスクトレイ２がポップアウトし、さらにパソコンの使用者がディスクトレイ２を引き出し、光ディスクＤを装填するようにしている。
【０００３】
図１１は、特にノート型パソコンに多く採用されているディスク装置１の外観を示すもので、同図に示すごとくディスクトレイ２の中央に、直下に配したスピンドルモータ３の駆動軸に固定されたターンテーブル４のクランプヘッド５により光ディスクＤの中心孔をクランプし、回転力を伝達するようにしている。また、光ピックアップを主体に構成したヘッドユニット６は、ディスクトレイ２に形成されたスリット２ａ内を半径方向に移動し、光ディスクＤに対し情報の記録再生を行うようにしている。そして、このように構成されているディスクトレイ２は、ガイドレール７に支持されてシャーシケース８内に収まるように構成されている。
【０００４】
図１２は、ディスクトレイ２の前端面の構成を分解斜視図で示したもので、ディスクトレイ本体の前端面の中央にプリント配線シートＰが貼着され、このプリント配線シートＰにディスクトレイ２の前進後退を司る起動信号を得るためのマイクロスイッチ９と、インジケータとなるＬＥＤチップ１０が半田付にて固定されている。そして、このディスクトレイ２の前端面を覆うようにしてネジ止めされてディスク装置１の前面を外装するベゼル１１には前記マイクロスイッチ９を作動するための押釦１２を備え、ＬＥＤチップ１０の発光を表示するための透光レンズ１３を備える。なお、符号１４は通孔であり、この通孔１４から細ピンを差し込み、ディスクトレイ２の不慮のロック状態を強制的に解除するようにしている。
【０００５】
図１３は、前記従来のベゼル１１の背面の状態を示す図であり、中央部に熱カシメ処理などによりアースプレート１５が固定されている。このアースプレート１５は、ディスクトレイ２がロードされたとき、その端部１５ａがシャーシケース８の開口部に当設し、放電路が形成されるようにしている。これにより、人体の静電気が放電路へ流れるようにし、電子部品などの破損を防止できるようにしている。そして、上縁部には緩衝体となる柔軟性を具えたスペーサ１６が配設され、ベゼル１１の本体の要所には、ディスクトレイ２の本体へ固定するためのネジ止め舌辺１１ａが形成されている。なお、押釦１２の背面にはアースプレート１５の端部１５ｂが延設されており、この端部１５ｂに形成された窓孔から露呈した押釦１２の突起１２ａがマイクロスイッチ９を作動するようにしている。
【０００６】
【特許文献１】
特願２００２−９７０５６号
【０００７】
【発明が解決しようとする課題】
このように従来のディスク装置におけるディスクトレイのベゼルは、このベゼルに必要とする要素部品、即ち、押釦１２、透光レンズ１３、アースプレート１５およびスペーサ１６を備え、ベゼル自体が外装体となるようにしている。したがって、このベゼルは通常、パソコン本体と統一のとれたデザインとされ、同色、同素材のもので形成されていることが望ましいことになる。
【０００８】
ところが、ディスク装置の単体を製造し、これを不特定多数のパソコン製造者などのユーザへ供給する製造販売システムの場合、パソコン本体とディスク装置の生産者が全く相違することなどにより、ディスク装置の供給先で組み込まれるパソコン本体のデザイン、色調、質感を一致させたベゼルとすることが困難であった。この場合の解決策として、完成したディスク装置が供給され、これを受け入れたユーザがベゼル部分のみを製作し、独自のベゼルと交換するか、あるいはベゼルの装着されていないディスク装置の供給を受け、独自に製作したベゼルを装着するいわゆる後付処理で対応するようにしている。
【０００９】
このような対応による場合、ディスク装置を受け入れたユーザにおいては、独自にベゼルならびにこのベゼルに組み込む要素部品の設計を行い、成型金型などを準備して製作することとなり、多大の経済的負担を強いられることになる。また、このようにして独自のベゼルを製作したとしても、完成品のベゼルとは誤差を含む設計がなされ、当初の性能を低下させることがある。例えば、要素部品であるアースプレートの形状が相違したり、このアースプレート自体を組み込まない場合、ディスク装置の静電気に対する耐性が低下することとなり、電子部品などの破損の危険性が高いものとなる。そして、独自設計されたベゼルであることから、ディスクトレイとの構造的整合性が低下することによりベゼル部分が振動して騒音を発生したり、ディスクトレイの操作感を低下することがある。
【００１０】
本発明は、上記した従来の問題に鑑みなされたもので、ディスク装置を組み込むパソコンなどの情報機器本体とのデザイン、色調、質感の統一を計る後付処理のためのベゼルを簡素な構成により低コストで製作できるようにするとともに、このベゼルの後付処理による場合においても、所望の性能を維持するためのディスクトレイに要する仕様を欠くことなく、安定した品質で不特定のユーザへのディスク装置の供給が可能となるようにすることを目的とするものである。
【００１１】
【課題を解決するための手段】
そこで本発明は、記録媒体を装填したディスクトレイをシャーシケース内で前進後退させてロード／アンロードするようにしたディスク装置において、前記ディスクトレイの前端面に要素部品を実装したインナーベゼルを固定するようになし、さらに前記インナーベゼルの外側にアウターベゼルを装着して一体化することが可能となるようにする。
【００１２】
さらに上記構成において、アウターベゼルを板状または浅皿状に形成し、インナーベゼルに止着または嵌着するようにし、上記課題を解決する。
【００１３】
【発明の実施の形態】
以下、本発明の実施の形態を図にもとづいて詳細に説明する。なお、本発明の要旨となる構成以外の従来と共通する部分には同一の符号を付してその説明を省略する。
【００１４】
図１は、本発明の第１実施例の構成を説明するための分解斜視図であり、同図から明らかなようにベゼル１７は、インナーベゼル１８とアウターベゼル１９からなり、これを一体化してディスクトレイ２の前端面に取り付けるようにしている。前記インナーベゼル１８は、図２に示すように自身をディスクトレイ２に固定するための係止爪片１８ａが要所に形成され、これに対応するディスクトレイ２の前端面に係止通孔２ｂが形成されており、係止爪片１８ａを係止通孔２ｂに挿着することにより、インナーベゼル１８をディスクトレイ２の前端面に固定するようにしている。
【００１５】
前記インナーベゼル１８の背面中央部には、アースプレート１５が熱カシメ処理などにより固定されており、その端部１５ｂの背面には吹出図に示すように押釦１２が配置されている。そして、インナーベゼル１８には透光レンズ２０が埋め込み状態で固定されており、強制解除用の通孔１８ｂが形成されている。また、インナーベゼル１８の両側端には凹欠部１８ｃ、上下端縁の要所に凹欠部１８ｄが形成されており、後述するアウターベゼル１９を止着できるようにしている。
【００１６】
つぎに、アウターベゼル１９はインナーベゼル１８の外形に倣う形状で板状に形成されており、前記押釦１２の頭部を挿通する窓孔１９ａおよび透光レンズ２０を挿通する窓孔１９ｂが形成されている。そして、このアウターベゼルの両側端には、インナーベゼル１８の凹欠部１８ｃに嵌合して止着状態を安定させるための凸部１９ｃが形成されており、また、インナーベゼル１８の凹欠部１８ｄに係着する係止爪片１９ｄが形成され、インナーベゼル１８の通孔１８ｂと連通する通孔１９ｅが形成されている。
【００１７】
以上のように構成された第１実施例のベゼル１７をディスクトレイ２の前端面に組み込む場合は、まず、インナーベゼル１８の係止爪片１８ａをディスクトレイ２の前端面に形成された係止通孔２ｂに差し込み、そのアンダーカット部を係止通孔２ｂの内部で係止させて固定する。つぎに、アウターベゼル１９の両側端の凸部１９ｃをインナーベゼル１８の両側端の凹欠部１８ｃに嵌め合わせつつ、係止爪片１９ｄのアンダーカット部をインナーベゼル１８の凹欠部１８ｄに係止し、アウターベゼル１９がインナーベゼル１８に止着する。
【００１８】
以上のようにしてベゼル１７が図３に示すようにディスクトレイ２の前端面に装着されると、押釦１２の頭部ならびに透光レンズ２０の前面がアウターベゼル１９の表面に現れてディスクトレイ２とベゼル１７が一体化した状態となる。このとき、アウターベゼル１９の係止爪片１９ｄの先端は、ディスクトレイ２に形成した凹陥部２ｃに落ち込むので、ディスクトレイ２の表面の平坦性を損なうことはない。なお、図４に第１実施例のベゼルの取付状態を断面図により示す。
【００１９】
図５は、本発明の第２実施例の構成を説明するための分解斜視図であり、同実施例におけるベゼル２１において、インナーベゼル２２は第１実施例と同様に自身をディスクトレイ２に固定するための係止爪片２２ａが要所に形成され、これに対応するディスクトレイ２の前端面に係止通孔２ｂに挿着することにより、インナーベゼル２２をディスクトレイ２の前端面に固定する。
【００２０】
前記インナーベゼル２２の背面中央には、図６に示すようにアースプレート１５が熱カシメ処理などにより固定されており、その端部１５ｂの背面には吹出図に示すように押釦１２が配置されている。そして、インナーベゼル２２には透光レンズ２０が埋め込み状態で固定されており、強制解除用の通孔２２ｂが形成されている。また、インナーベゼル２２の両側端には係止凹部２２ｃ、上下端縁の要所に係止凹部２２ｄが形成されており、後述するアウターベゼル２３を嵌着できるようにしている。
【００２１】
つぎに、アウターベゼル２３はインナーベゼル２２を包み込む浅皿状に形成されており、前記押釦１２の頭部を挿通する窓孔２３ａおよび透光レンズ２０を挿通する窓孔２３ｂが形成されている。そして、このアウターベゼル２３の外周縁２３ｃの内面には、前記インナーベゼル２２に形成した係止凹部２２ｄに対応する位置に係止爪２３ｄが起立成形されており、インナーベゼル２２の通孔２２ｂと連通する通孔２３ｅが形成されている。
【００２２】
以上のように構成された第２実施例のベゼル２１をディスクトレイ２の前端面に組み込む場合は、まず、インナーベゼル２２の係止爪片２２ａをディスクトレイ２の前端面に形成された係止通孔２ｂに差し込み、そのアンダーカット部を係止通孔２ｂの内部で係止させて固定する。つぎに、アウターベゼル２３の開口をインナーベゼル２２に被着し、さらにアウターベゼル２３を前面から押圧することによりインナーベゼル２２がアウターベゼル２３内に進入して係止爪２３ｄと係止凹部２２ｄが係合し、アウターベゼル２３がインナーベゼル２２に嵌着する。
【００２３】
以上のようにしてベゼル２１が図７に示すようにディスクトレイ２の前端面に固定されると、押釦１２の頭部ならびに透光レンズ２０の前面がアウターベゼル２３の表面に現れてディスクトレイ２とベゼル２１が一体化した状態となる。なお、図８に第２実施例のベゼルの取付状態を断面図により示す。
【００２４】
このように、本発明の第１、第２実施例では、インナーベゼルに押釦を取り付け、アウターベゼルに窓孔を形成し、この窓孔から前記押釦の頭部をアウターベゼルの表面に露呈させる構成としたが、これに限らず、図９に示すごとくアウターベゼル１９に押釦１２を取り付ける一方、インナーベゼルに窓孔１８ｅを形成し、押釦１２がアウターベゼル１８の前記窓孔１８ｅを介してマイクロスイッチ９を作動するようにしてもよい。
【００２５】
なお、本発明の第１、第２実施例においては、インナーベゼルおよびアウターベゼルを構造的手段により固定するようにしているが、これに限らず、ネジ止めあるいは接着剤により貼着するようにしてもよい。また、アウターベゼルをインナーベゼルに固定するようにしているが、アウターベゼルをディスクトレイに固定するようにすることも可能である。
【００２６】
【発明の効果】
以上、詳細に説明したごとく本発明によれば、ベゼルに組み込む必要のある要素部品をインナーベゼルに取り付け、これをディスクトレイの前端面に固定するようにしたので、アウターベゼルを簡素に構成することができ、製作コストを低減することができる。また、要素部品をインナーベゼルに取り付けるようにしたことから、所望の性能を維持するためのディスクトレイに要する仕様を欠くことなく不特定のユーザへの供給が可能となる。したがって、インナーベゼルの固定されたディスク装置の供給を受けたユーザが独自に製作したアウターベゼルを装着しても、ディスク装置の性能を低下させることなく、安定した品質を維持することが可能となる。
【図面の簡単な説明】
【図１】本発明の第１実施例の分解斜視図である。
【図２】本発明の第１実施例の要部の構成を示す斜視図である。
【図３】本発明の第１実施例の組立状態の斜視図である。
【図４】本発明の第１実施例の組立状態の断面図である。
【図５】本発明の第２実施例の分解斜視図である。
【図６】本発明の第２実施例の要部の構成を示す斜視図である。
【図７】本発明の第２実施例の組立状態の斜視図である。
【図８】本発明の第２実施例の組立状態の断面図である。
【図９】本発明を変形して構成する例の分解斜視図である。
【図１０】ノート型パソコンの外観を示す斜視図である。
【図１１】従来のディスク装置を示す斜視図である。
【図１２】従来のディスク装置のベゼル部分の分解斜視図である。
【図１３】従来のディスク装置のベゼルの構成を示す斜視図である。
【符号の説明】
１・・・・・・ディスク装置
２・・・・・・ディスクトレイ
３・・・・・・スピンドルモータ
４・・・・・・ターンテーブル
５・・・・・・クランプヘッド
６・・・・・・ヘッドユニット
７・・・・・・ガイドレール
８・・・・・・シャーシケース
９・・・・・・マイクロスイッチ
１０・・・・・ＬＥＤチップ
１２・・・・・押釦
１５・・・・・アースプレート
１７・・・・・ベゼル
１８・・・・・インナーベゼル
１９・・・・・アウターベゼル
２０・・・・・透光レンズ
２１・・・・・ベゼル
２２・・・・・インナーベゼル
２３・・・・・アウターベゼル
【図１】
2004152439.tif 000003
【図２】
2004152439.tif 000004
【図３】
2004152439.tif 000005
【図４】
2004152439.tif 000006
【図５】
2004152439.tif 000007
【図６】
2004152439.tif 000008
【図７】
2004152439.tif 000009
【図８】
2004152439.tif 000010
【図９】
2004152439.tif 000011
【図１０】
2004152439.tif 000012
【図１１】
2004152439.tif 000013
【図１２】
2004152439.tif 000014
【図１３】
2004152439.tif 000015